(57)【要約】【課題】浴室に居る使用者に不都合を与えることなく、携帯端末装置を用いて適正に、給湯装置を遠隔制御することが可能な給湯装置、給湯システムおよびプログラムを提供する。【解決手段】給湯装置１０は、浴室内に人が居るか否かを検知するためのセンサ（水位センサ１１４、入室センサ１２６）と、遠隔操作に基づく制御を実行する制御部１３３と、を備える。制御部１３３は、センサ（水位センサ１１４、入室センサ１２６）により浴室内に人が検知されている場合に、浴室内に人が検知されていない場合よりも、遠隔制御が可能な設定項目を制限する。【選択図】図２
2020067244.tif 000002
【特許請求の範囲】
【請求項１】
外部通信網に通信可能に接続され、サーバを介して、携帯端末装置により遠隔制御される給湯装置において、
浴室内に人が居るか否かを検知するためのセンサと、
遠隔操作に基づく制御を実行する制御部と、を備え、
前記制御部は、前記センサにより前記浴室内に人が検知されている場合に、前記浴室内に人が検知されていない場合よりも、前記遠隔制御が可能な設定項目を制限する、
ことを特徴とする給湯装置。
【請求項２】
請求項１に記載の給湯装置において、
前記遠隔制御が制限される設定項目は、前記給湯装置の運転切替を含み、
前記制御部は、前記センサにより前記浴室内に人が検知されている場合、前記給湯装置の運転切替の設定を制限する、
ことを特徴とする給湯装置。
【請求項３】
請求項１または２に記載の給湯装置において、
前記遠隔制御が制限される設定項目は、前記給湯温度の変更を含み、
前記制御部は、前記センサにより前記浴室内に人が検知されている場合、前記給湯温度の設定を制限する、
ことを特徴とする給湯装置。
【請求項４】
請求項１ないし３の何れか一項に記載の給湯装置において、
前記遠隔制御が制限される設定項目は、前記風呂温度の設定を含み、
前記制御部は、前記センサにより前記浴室内に人が検知されている場合、前記風呂温度の設定を制限する、
ことを特徴とする給湯装置。
【請求項５】
外部通信網に接続された給湯装置と、
前記外部通信網に接続され、携帯端末装置からの要求に基づき前記給湯装置を遠隔制御するサーバと、を備え、
前記給湯装置は、浴室内に人が居るか否かをセンサで検知して前記サーバに送信し、
前記サーバは、前記浴室内に人が検知されている場合に、前記浴室内に人が検知されていない場合よりも、前記遠隔制御が可能な設定項目を制限する、
ことを特徴とする給湯システム。
【請求項６】
請求項５に記載の給湯システムにおいて、
前記遠隔制御が制限される設定項目は、前記給湯装置の運転切替を含み、
前記サーバは、前記センサにより前記浴室内に人が検知されている場合、前記給湯装置の運転切替の設定を制限する、
ことを特徴とする給湯システム。
【請求項７】
請求項５または６に記載の給湯システムにおいて、
前記遠隔制御が制限される設定項目は、前記給湯温度の設定を含み、
前記サーバは、前記センサにより前記浴室内に人が検知されている場合、前記給湯温度の設定を制限する、
ことを特徴とする給湯システム。
【請求項８】
請求項５ないし７の何れか一項に記載の給湯システムにおいて、
前記遠隔制御が制限される設定項目は、前記風呂温度の設定を含み、
前記サーバは、前記センサにより前記浴室内に人が検知されている場合、前記風呂温度の設定を制限する、
ことを特徴とする給湯システム。
【請求項９】
サーバを介して給湯装置を遠隔制御するための機能を携帯端末装置の制御部に実行させるプログラムであって、
浴室内に人が居るか否かの検知結果を含む情報を前記サーバから取得する処理と、
前記浴室内に人が検知されている場合に、前記浴室内に人が検知されていない場合よりも、前記遠隔制御が可能な設定項目を制限する処理と、を含む、プログラム。
【請求項１０】
請求項９に記載のプログラムにおいて、
前記遠隔制御が制限される設定項目は、前記給湯装置の運転切替を含む、プログラム。
【請求項１１】
請求項９または１０に記載のプログラムにおいて、
前記遠隔制御が制限される設定項目は、前記給湯温度の設定を含む、プログラム。
【請求項１２】
請求項９ないし１１の何れか一項に記載のプログラムにおいて、
前記遠隔制御が制限される設定項目は、前記風呂温度の設定を含む、プログラム。
【請求項１３】
請求項９ないし１２の何れか一項に記載のプログラムにおいて、
前記遠隔操作の設定が前記検知結果に基づく処理により制限された場合に、前記浴室内に人が居ることにより当該設定が制限されたこと示す報知情報を出力させる処理をさらに含む、プログラム。
【発明の詳細な説明】
【技術分野】
【０００１】
本発明は、サーバを介して携帯端末装置により遠隔制御される給湯装置、給湯装置を携帯端末装置によって遠隔制御する給湯システム、および、携帯端末装置の制御部に給湯装置を遠隔制御するための機能を実行させるプログラムに関する。
【背景技術】
【０００２】
従来、給湯装置では、浴室やリビング、台所に設置されたリモートコントローラによって各種設定がなされていた。これに対し、最近では、携帯電話機等の携帯端末装置を用いて給湯装置に対する遠隔制御を行うシステムが検討されている。たとえば、以下の特許文献１には、携帯電話機を用いて給湯暖房機を遠隔制御するシステムが記載されている。
【先行技術文献】
【特許文献】
【０００３】
【特許文献１】特許第６１４２６８１号公報
【発明の概要】
【発明が解決しようとする課題】
【０００４】
給湯装置に対する遠隔制御は、携帯端末装置が宅内と宅外の何れにある場合も実行可能である。ここで、給湯装置が宅外から遠隔制御される場合、操作者は、宅内における給湯装置の利用状況を把握することなく、給湯装置に対する設定を行うことになる。この場合、たとえば、浴室において使用者が給湯装置を使用している際に、宅外からの遠隔操作によって、不意に、給湯装置の運転が停止し、あるいは、給湯温度が変化すると、当該使用者に顕著な違和感や不都合を与えてしまう。
【０００５】
かかる課題に鑑み、本発明は、浴室に居る使用者に不都合を与えることなく、携帯端末装置を用いて適正に、給湯装置を遠隔制御することが可能な給湯装置、給湯システムおよびプログラムを提供することを目的とする。
【課題を解決するための手段】
【０００６】
本発明の第１の態様は、外部通信網に通信可能に接続され、サーバを介して、携帯端末装置により遠隔制御される給湯装置に関する。この態様に係る給湯装置は、浴室内に人が居るか否かを検知するためのセンサと、遠隔操作に基づく制御を実行する制御部と、を備える。ここで、前記制御部は、前記センサにより前記浴室内に人が検知されている場合に、前記浴室内に人が検知されていない場合よりも、前記遠隔制御が可能な設定項目を制限する。
【０００７】
本態様に係る給湯装置によれば、浴室内に人が検知されている場合は、浴室内に人が検知されていない場合よりも、遠隔制御が可能な設定項目が制限される。ここで、遠隔制御が制限される設定項目は、設定が変更されると浴室に居る使用者に不都合または違和感を与える設定項目とされる。これにより、浴室において使用者が給湯装置を使用している状態あるいは使用しようとしている状態において、遠隔操作により、不意に、設定が変更されて、当該使用者に顕著な違和感や不都合を与えることが防がれる。よって、浴室に居る使用者に不都合を与えることなく、適正に、給湯装置を遠隔制御することができる。
【０００８】
本態様に係る給湯装置において、前記遠隔制御が制限される設定項目は、前記給湯装置の運転切替を含み得る。この場合、前記制御部は、前記センサにより前記浴室内に人が検知されている場合、前記給湯装置の運転切替の設定を制限するよう構成され得る。
【０００９】
この構成によれば、浴室において使用者が給湯装置を使用している状態あるいは使用しようとしている状態において、遠隔操作により、不意に、給湯装置の運転が停止されて、カランやシャワーから水が放出されることが防がれる。よって、浴室に居る使用者に顕著な不都合を与えることなく、適正に、給湯装置を遠隔制御することができる。
【００１０】
本態様に係る給湯装置において、前記遠隔制御が制限される設定項目は、前記給湯温度の設定を含み得る。この場合、前記制御部は、前記センサにより前記浴室内に人が検知されている場合、前記給湯温度の設定を制限するよう構成され得る。
【００１１】
この構成によれば、浴室において使用者が給湯装置を使用している状態あるいは使用しようとしている状態において、遠隔操作により、不意に、カランやシャワーから放出される湯の温度が変更されることが防がれる。よって、浴室に居る使用者に不都合を与えることなく、適正に、給湯装置を遠隔制御することができる。
【００１２】
本態様に係る給湯装置において、前記遠隔制御が制限される設定項目は、前記風呂温度の設定を含み得る。この場合、前記制御部は、前記センサにより前記浴室内に人が検知されている場合、前記風呂温度の設定を制限するよう構成され得る。
【００１３】
この構成によれば、たとえば、浴室において使用者が湯船に浸かっている際に、遠隔操作により、不意に、風呂温度が変更されることが防がれる。よって、浴室に居る使用者に不都合や違和感を与えることなく、適正に、給湯装置を遠隔制御することができる。
【００１４】
本発明の第２の態様は、給湯システムに関する。この態様に係る給湯システムは、外部通信網に接続された給湯装置と、前記外部通信網に接続され、携帯端末装置からの要求に基づき前記給湯装置を遠隔制御するサーバと、を備える。ここで、前記給湯装置は、浴室内に人が居るか否かをセンサで検知して前記サーバに送信し、前記サーバは、前記浴室内に人が検知されている場合に、前記浴室内に人が検知されていない場合よりも、前記遠隔制御が可能な設定項目を制限する。
【００１５】
本態様に係る給湯システムよれば、上記第１の態様と同様の効果が奏され得る。
【００１６】
本態様に係る給湯システムにおいて、前記遠隔制御が制限される設定項目は、前記給湯装置の運転切替を含み得る。この場合、前記サーバは、前記センサにより前記浴室内に人が検知されている場合、前記給湯装置の運転切替の設定を制限するよう構成され得る。
【００１７】
また、本態様に係る給湯システムにおいて、前記遠隔制御が制限される設定項目は、前記給湯温度の設定を含み得る。この場合、前記サーバは、前記センサにより前記浴室内に人が検知されている場合、前記給湯温度の設定を制限するよう構成され得る。
【００１８】
あるいは、本態様に係る給湯システムにおいて、前記遠隔制御が制限される設定項目は、前記風呂温度の設定を含み得る。この場合、前記サーバは、前記センサにより前記浴室内に人が検知されている場合、前記風呂温度の設定を制限するよう構成され得る。
【００１９】
これらの構成によれば、上記第１の態様に示した対応する構成と同様の効果が奏され得る。
【００２０】
本発明の第３の態様は、サーバを介して給湯装置を遠隔制御するための機能を携帯端末装置の制御部に実行させるプログラムに関する。このプログラムは、浴室内に人が居るか否かの検知結果を含む情報を前記サーバから取得する処理と、前記浴室内に人が検知されている場合に、前記浴室内に人が検知されていない場合よりも、前記遠隔制御が可能な設定項目を制限する処理と、を含む。
【００２１】
本態様に係るプログラムよれば、上記第１の態様と同様の効果が奏され得る。
【００２２】
本態様に係るプログラムにおいて、前記遠隔制御が制限される設定項目は、前記給湯装置の運転切替を含み得る。
【００２３】
また、前記遠隔制御が制限される設定項目は、前記給湯温度の設定を含み得る。
【００２４】
あるいは、前記遠隔制御が制限される設定項目は、前記風呂温度の設定を含み得る。
【００２５】
これらのプログラムによれば、上記第１の態様に示した対応する構成と同様の効果が奏され得る。
【００２６】
この他、本態様に係るプログラムは、前記遠隔操作の設定が前記検知結果に基づく処理により制限された場合に、前記浴室内に人が居ることにより当該設定が制限されたこと示す報知情報を出力させる処理をさらに含み得る。
【００２７】
この処理によれば、携帯端末装置の操作者は、自身が入力した設定が、浴室内に人が居ることにより制限されたことを把握することができる。これにより、携帯端末装置の操作者は、違和感や不信感を抱くことなく、円滑に、自身の設定を取りやめることができる。
【発明の効果】
【００２８】
以上のとおり、本発明によれば、浴室に居る使用者に不都合を与えることなく、携帯端末装置を用いて適正に、給湯装置を遠隔制御することが可能な給湯装置、給湯システムおよびプログラムを提供することができる。
【００２９】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３０】
【図１】図１は、実施形態１に係る給湯システムの構成を示す図である。
【図２】図２は、実施形態１に係る給湯システムを構成する各機器の回路ブロックを示す図である。
【図３】図３は、実施形態に係る、給湯装置と携帯端末装置とをペアリングする際に各装置間で行われる情報の送受信の流れを示すシーケンス図である。
【図４】図４（ａ）は、実施形態１に係る、サーバから設定情報を受信した場合に給湯装置において実行される処理を示すフローチャートである。図４（ｂ）は、実施形態１に係る、浴室に人が居ることに基づいて設定が制限された場合に携帯端末装置において出力される報知画面を示す図である。図４（ｃ）は、実施形態１に係る、給湯装置に設定が適用された場合に携帯端末装置において出力される報知画面を示す図である。
【図５】図５（ａ）は、実施形態２に係る、浴室入室有無の検知結果を含む状態情報を給湯装置からサーバに送信するための処理を示すフローチャートである。図５（ｂ）は、実施形態２に係る、携帯端末装置から設定コマンドを受信した場合にサーバにおいて実行される処理を示すフローチャートである。
【図６】図６（ａ）は、実施形態３に係る、風呂入室有無の検知結果を含む状態情報を携帯端末装置がサーバから取得する処理を示すフローチャートである。図６（ｂ）は、実施形態３に係る、遠隔制御の設定入力を受け付けた場合に携帯端末装置において実行される処理を示すフローチャートである。
【図７】図７（ａ）は、実施形態３に係る、携帯端末装置において表示される遠隔制御の受付画面を示す図である。図７（ｂ）は、実施形態３に係る、受付画面において、設定項目として給湯運転が選択された場合に、携帯端末装置において表示される報知画面を示す図である。
【発明を実施するための形態】
【００３１】
以下、本発明の実施形態について図面を参照して説明する。
【００３２】
＜実施形態１＞
図１は、実施形態１に係る給湯システム１の構成を示す図である。
【００３３】
図１に示すように、給湯システム１は、給湯装置１０と、ルータ２０と、携帯端末装置３０と、外部通信網４０と、サーバ５０とを備える。
【００３４】
給湯装置１０は、給湯器１１と、リモートコントローラ１２、１３を備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００３５】
リモートコントローラ１２、１３は、給湯器１１に接続され、給湯装置１０の各機能について種々の設定を行うために用いられる。リモートコントローラ１２、１３は、それぞれ、表示部１２１、１３１と、入力部１２２、１３２とを備える。操作者は、表示部１２１、１３１に表示された画面に従って入力部１２２、１３２を操作することにより、湯張りや給湯温度調節等について、任意の設定を行うことができる。リモートコントローラ１２は、浴室に設置され、リモートコントローラ１３は、キッチン等に設置される。
【００３６】
以下、浴室に設置されるリモートコントローラ１２を、「浴室リモコン１２」と称し、キッチン等に設置されるリモートコントローラ１３を、「台所リモコン１３」と称する。
【００３７】
ルータ２０は、建物内（ここでは、宅内Ｈ１０）に存在する各機器を、外部通信網４０を介してサーバ５０に接続するための無線ルータである。ルータ２０は、宅内Ｈ１０の機器を外部通信網４０に接続するための通信中継器である。
【００３８】
台所リモコン１３は、無線通信により、ルータ２０に接続される。また、携帯端末装置３０が宅内Ｈ１０に存在する場合、携帯端末装置３０は、無線通信によりルータ２０に接続されて、サーバ５０と通信可能である。携帯端末装置３０は、たとえば、携帯電話機である。この他、携帯端末装置３０が、携帯型のタブレット端末等の他の携帯可能な端末装置であってもよい。外部通信網４０は、たとえば、インターネットである。
【００３９】
外部通信網４０には、給湯装置１０に対する遠隔制御（遠隔操作および遠隔監視）を管理するためのサーバ５０が接続されている。台所リモコン１３は、ルータ２０および外部通信網４０を介して、サーバ５０と通信を行う。携帯端末装置３０が宅内Ｈ１０に存在する場合、携帯端末装置３０は、ルータ２０および外部通信網４０を介してサーバ５０と通信を行う。また、携帯端末装置３０が宅外にある場合、携帯端末装置３０は、外部に設置されたルータ６０または基地局７０を介して外部通信網４０に接続され、サーバ５０と通信を行う。
【００４０】
台所リモコン１３と携帯端末装置３０には、給湯システム１のアプリケーションプログラムが、サーバ５０からダウンロードされ、インストールされている。このアプリケーションプログラムに、サーバ５０にアクセスするためのアドレス情報（ＩＰアドレス）が含まれている。台所リモコン１３と携帯端末装置３０は、このアドレス情報に基づいて、サーバ５０にアクセスし、通信を行う。
【００４１】
台所リモコン１３のアドレス情報は、初期設定の際に、サーバ５０に送信され保持される。このとき同時に、台所リモコン１３のＩＤ情報が、台所リモコン１３からサーバ５０に送信される。台所リモコン１３のアドレス情報として、たとえば、台所リモコン１３の無線通信部１３６（図２参照）に保持されたＭＡＣ（Media Access Control）アドレスが用いられる。台所リモコン１３のアドレス情報として、台所リモコン１３の無線通信部１３６のグローバルＩＰアドレスが用いられてもよい。台所リモコン１３のＩＤ情報として、たとえば、台所リモコン１３の無線通信部１３６のＴＨＩＮＧが用いられる。
【００４２】
図１の構成において、操作者は、宅内Ｈ１０と宅外の何れにおいても、携帯端末装置３０を用いて、給湯装置１０に対する遠隔制御（遠隔操作および遠隔監視）を行うことができる。
【００４３】
すなわち、携帯端末装置３０が宅内Ｈ１０と宅外の何れにある場合も、操作者から携帯端末装置３０に入力された設定要求は、外部通信網４０を介して、一旦、サーバ５０に送信される。これを受けて、サーバ５０は、設定要求を受信した携帯端末装置３０に予め対応付けられている給湯装置１０に対して、受信した設定要求を送信する。これにより、設定要求が、外部通信網４０およびルータ２０を介して、対応する給湯装置１０の台所リモコン１３に送信される。こうして、操作者が要求する内容の設定が、遠隔操作により、給湯装置１０に適用される。
【００４４】
また、給湯装置１０の状態情報が、所定周期で随時、台所リモコン１３からルータ２０を介してサーバ５０に送信される。状態情報は、現在の給湯装置１０の設定状態を示す情報である。サーバ５０は、受信した状態情報を、給湯装置１０ごとに管理する。操作者から携帯端末装置３０に入力された遠隔監視の閲覧要求は、外部通信網４０を介して、一旦、サーバ５０に送信される。これを受けて、サーバ５０は、閲覧要求を受信した携帯端末装置３０に予め対応付けられている給湯装置１０のうち、閲覧要求により指定された給湯装置１０の状態情報を、当該携帯端末装置３０に送信する。これにより、給湯装置１０の状態が、携帯端末装置３０において出力される。こうして、操作者は、給湯装置１０の状態を、宅内および宅外の両方において確認できる。
【００４５】
図２は、給湯システム１を構成する各機器の回路ブロックを示す図である。
【００４６】
給湯器１１は、制御部１１１と、記憶部１１２と、通信部１１３と、水位センサ１１４とを備える。制御部１１１は、ＣＰＵ（Central Processing Unit）を備え、記憶部１１２に記憶されたプログラムに従って、給湯器１１内の各部の制御を行う。記憶部１１２は、メモリを備え、所定の制御プログラムを記憶する。通信部１１３は、制御部１１１からの制御に従って、浴室リモコン１２および台所リモコン１３と通信を行う。
【００４７】
水位センサ１１４は、給湯装置１０が接続された浴槽の水位を検出する。水位センサ１１４は、たとえば、浴槽に接続された配管内の水圧によって浴槽の水位を検出する。制御部１１１は、水位センサ１１４により検出される水位の変化によって、浴槽に対し人が入浴および退出したことを検知する。制御部１１１は、検知結果を随時台所リモコン１３に送信する。
【００４８】
浴室リモコン１２は、上述の表示部１２１および入力部１２２の他、制御部１２３と、記憶部１２４と、通信部１２５と、入室センサ１２６とを備える。表示部１２１は、たとえば、液晶パネルにより構成される。入力部１２２は、温度設定ボタン等の各種操作ボタンを備える。表示部１２１が、タッチパネルであってもよい。
【００４９】
制御部１２３は、ＣＰＵを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１と通信を行う。入室センサ１２６は、浴室に対する人の出入りを検出する。入室センサ１２６は、たとえば、赤外線を用いた人感センサである。制御部１２３は、入室センサ１２６の出力に基づいて、浴室に人が入ったことを検知する。制御部１２３は、検知結果を随時台所リモコン１３に送信する。
【００５０】
台所リモコン１３は、上述の表示部１３１および入力部１３２の他、制御部１３３と、記憶部１３４と、通信部１３５を備える。表示部１３１は、たとえば、液晶パネルにより構成される。入力部１３２は、各種操作ボタンを備える。表示部１３１が、タッチパネルであってもよい。制御部１３３は、ＣＰＵを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１と通信を行う。
【００５１】
制御部１３３は、浴槽に対する人の入退の検知結果を、随時、給湯器１１の制御部１１１から受信し、受信した検知結果を記憶部１３４に更新記憶させる。また、制御部１３３は、浴室に対する人の入退の検知結果を、随時、浴室リモコン１２の制御部１２３から受信し、受信した検知結果を記憶部１３４に更新記憶させる。
【００５２】
さらに、台所リモコン１３は、無線通信部１３６を備える。ここで、無線通信部１３６は、ルータ２０との間で無線通信が可能な無線通信モジュールである。無線通信部１３６（無線通信モジュール）には、宅内Ｈ１０に設定されたＬＡＮ（Local Area Network）上の機器を特定するためのＩＰアドレスが割り振られている。また、無線通信部１３６は、上述のＭＡＣアドレスを保持している。この他、台所リモコン１３は、音声を出力するためのスピーカを備えている。
【００５３】
携帯端末装置３０は、表示部３０１と、入力部３０２と、制御部３０３と、記憶部３０４と、無線通信部３０５とを備える。表示部３０１は、たとえば、液晶パネルにより構成される。入力部１３２は、各種操作ボタンと、表示部３０１に積層されたタッチパネルとを備える。
【００５４】
制御部３０３は、ＣＰＵを備え、記憶部３０４に記憶されたプログラムに従って所定の制御を行う。記憶部３０４は、メモリを備え、所定の制御プログラムを記憶する。無線通信部３０５は、制御部３０３からの制御に従って、ルータ２０と通信を行う。無線通信部３０５は、ルータ２０との間で無線通信が可能な無線通信モジュールである。無線通信部３０５にもＩＰアドレスが割り振られている。また、無線通信部３０５は、上述のＭＡＣアドレスを保持している。この他、携帯端末装置３０は、音声を出力するためのスピーカを備えている。
【００５５】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００５６】
本実施形態１では、予め、給湯装置１０に対して遠隔制御（遠隔操作および遠隔監視）を行うことが可能な携帯端末装置３０が、給湯装置１０に対応付けて、サーバ５０に登録される。すなわち、予め、給湯装置１０と携帯端末装置３０とがペアリングされ、ペアリングを示す情報（ペアリング情報）が、サーバ５０において管理される。
【００５７】
本実施形態１では、このペアリングが、給湯装置１０が設置された建物内において行われる。すなわち、携帯端末装置３０の所持者は、原則、給湯装置１０が設置された建物内に携帯端末装置３０を所持して立ち入らなければ、自身の携帯端末装置３０と給湯装置１０とをペアリングできない。これにより、悪意の第三者によって不当に、携帯端末装置３０と給湯装置１０とがペアリングされる可能性が減少する。よって、不当に遠隔制御（遠隔制御および遠隔監視）が行われるリスクを抑制できる。
【００５８】
図３は、給湯装置１０と携帯端末装置３０とをペアリングする際に、台所リモコン１３、携帯端末装置３０およびサーバ５０の間で行われる情報の送受信の流れを示すシーケンス図である。
【００５９】
台所リモコン１３に対してペアリングのための操作がなされると、シーケンス（１）において、台所リモコン１３からペアリングのためのアナウンスがブロードキャストで送信される。このアナウンスが携帯端末装置３０において受け付けられると、シーケンス（２）において、携帯端末装置３０から台所リモコン１３にペアリング要求が送信される。このペアリング要求が台所リモコン１３において受け付けられると、シーケンス（３）において、台所リモコン１３から携帯端末装置３０にペアリング応答が送信される。このとき、台所リモコン１３のＩＤ情報（たとえば、ＴＨＩＮＧ）が、台所リモコン１３から携帯端末装置３０に受け渡される。これにより、台所リモコン１３と携帯端末装置３０との間で行われるペアリングのための手順が終了する（フェーズ１）。
【００６０】
次に、シーケンス（４）において、携帯端末装置３０からサーバ５０に対し、ペアリングの登録を要求するためのペアリング通知要求が送信される。ペアリング通知要求には、台所リモコン１３のＩＤ情報（たとえば、ＴＨＩＮＧ）と、携帯端末装置３０のＩＤ情報およびアドレス情報とが含まれている。携帯端末装置３０のＩＤ情報として、たとえば、無線通信部３０５のＵＵＩＤ（Universally Unique Identifier）またはＧＵＩＤ（GloballyUnique Identifier）が用いられる。また、携帯端末装置３０のアドレス情報として、たとえば、ＭＡＣアドレスが用いられる。
【００６１】
ペアリング通知要求がサーバ５０に受信されると、サーバ５０において、台所リモコン１３のＩＤ情報（無線通信部１３６のＴＨＩＮＧ）と、携帯端末装置３０のＩＤ情報（無線通信部３０５のＵＵＩＤ／ＧＵＩＤ）およびアドレス情報（ＭＡＣアドレス）とが対応付けられて、データベースに登録される。これにより、給湯装置１０と携帯端末装置３０との対応付け（ペアリング）がなされる。
【００６２】
こうしてペアリングの登録が終了すると、シーケンス（５）において、ペアリング通知応答（ペアリング結果）がサーバ５０から携帯端末装置３０に送信される。これにより、携帯端末装置３０において、ペアリングが適正になされたことが確認される。こうして、サーバ５０と携帯端末装置３０との間で行われる手順が終了する（フェーズ２）。
【００６３】
さらに、シーケンス（６）において、サーバ５０から台所リモコン１３に対し、ペアリングが登録されたことを示すペアリング結果の通知が送信される。この通知が台所リモコン１３において受信されると、上記のように、ペアリング結果に基づき台所リモコン１３においてペアリングが適正になされたことが確認され、シーケンス（７）において、ペアリング結果応答が台所リモコン１３からサーバ５０に送信される。こうして、サーバ５０と台所リモコン１３との間で行われる手順が終了する（フェーズ３）。これにより、ペアリングのための全てのシーケンスが終了する。
【００６４】
上記のようにして、ペアリング情報がサーバ５０に登録されることにより、給湯装置１０を遠隔制御可能な携帯端末装置３０が、ペアリング情報のＩＤ情報により特定される携帯端末装置３０に制限される。これにより、給湯装置１０の使用者のセキュリティが担保される。
【００６５】
ところで、給湯装置１０が宅外から遠隔制御される場合、操作者は、宅内Ｈ１０における給湯装置１０の利用状況を把握することなく、給湯装置１０に対する設定を行うことになる。この場合、たとえば、浴室において使用者が給湯装置１０を使用している際に、宅外からの遠隔操作によって、不意に、給湯装置１０の運転が停止し、あるいは、給湯温度が変化すると、当該使用者に顕著な違和感や不都合を与えてしまう。
【００６６】
そこで、本実施形態１では、浴室に居る使用者に不都合を与えることなく、携帯端末装置３０を用いて適正に、給湯装置１０を遠隔制御することが可能な構成が設けられている。以下、この構成について説明する。
【００６７】
図４（ａ）は、サーバ５０から設定情報を受信した場合に給湯装置１０において実行される処理を示すフローチャートである。ここでは、図４（ａ）の処理が、台所リモコン１３の制御部１３３により行われる。
【００６８】
遠隔制御のための入力が携帯端末装置３０により受け付けられると、受け付けられた入力に応じた設定コマンドが、携帯端末装置３０からサーバ５０に送信される。これに応じて、設定コマンドに基づく設定情報が、サーバ５０から台所リモコン１３に送信される。
【００６９】
台所リモコン１３の制御部１３３は、サーバ５０から設定情報を受信すると（Ｓ１１：ＹＥＳ）、浴室に人が居るか否かを判定する（Ｓ１２）。この判定は、図２に示した水位センサ１１４および入室センサ１２６の出力に基づく人の検知結果に基づいて行われる。浴室に人が居ると判定した場合（Ｓ１２：ＹＥＳ）、制御部１３３は、設定情報により特定される設定項目が、予め決められた排除項目に該当するか否かを判定する（Ｓ１３）。
【００７０】
ここで、排除項目は、設定が変更されると浴室に居る使用者に不都合または違和感を与える設定項目とされる。たとえば、排除項目は、給湯装置１０の運転をＯＮ／ＯＦＦに切替える設定項目、給湯温度を設定する設定項目および風呂温度を設定する設定項目を含む。これら３つの設定項目のうち、何れか１つまたは２つが排除項目から除かれてもよく、あるいは、さらに他の設定項目が、排除項目に含まれてもよい。
【００７１】
設定情報により特定される設定項目が排除項目に該当する場合（Ｓ１３：ＹＥＳ）、制御部１３３は、当該設定項目に応じた設定を行わずに、設定を拒否する通知（設定拒否通知）をサーバ５０に送信する（Ｓ１４）。これにより、制御部１３３は、処理を終了する。
【００７２】
他方、浴室に人が居ないと判定した場合（Ｓ１２：ＮＯ）、あるいは、設定情報により特定される設定項目が排除項目に該当しない場合（Ｓ１２：ＹＥＳ、Ｓ１３：ＮＯ）、制御部１３３は、当該設定項目に応じた設定を行う（Ｓ１５）。そして、制御部１３３は、設定を行ったことを示す通知（設定応答通知）をサーバ５０に送信する（Ｓ１６）。これにより、制御部１３３は、処理を終了する。
【００７３】
なお、ステップＳ１４で送信された設定拒否通知は、サーバ５０から携帯端末装置３０に転送される。同様に、ステップＳ１６で送信された設定応答通知は、サーバ５０から携帯端末装置３０に転送される。携帯端末装置３０の制御部３０３は、これらの通知を受信すると、設定が制限されたことを報知する報知画面または設定が給湯装置１０に適用されたことを報知する報知画面を、表示部３０１に表示させる。
【００７４】
図４（ｂ）は、浴室に人が居ることに基づいて設定が制限された場合に携帯端末装置３０において出力される報知画面６００を示す図である。図４（ｃ）は、給湯装置１０に設定が適用された場合に携帯端末装置３０において出力される報知画面６００を示す図である。図４（ｂ）、（ｃ）は、何れも、携帯端末装置３０の操作者が、携帯端末装置３０を介して給湯温度の設定を行った場合に表示される報知画面６００が例示されている。
【００７５】
図４（ｂ）に示すように、設定が制限された場合の報知画面６００には、人が浴室に入室中のため給湯温度（入力された設定項目）の設定ができないことを示す報知文６０１が含まれている。携帯端末装置３０の操作者は、報知文６０１を参照することにより、違和感や不信感を抱くことなく、円滑に、自身の設定を取りやめることができる。操作者は、報知文６０１を参照した後、ボタン６０２を操作して、遠隔制御の動作を終了させる。これにより、遠隔制御の設定操作が終了する。
【００７６】
図４（ｃ）に示すように、設定が適用された場合の報知画面６００は、給湯温度（入力された設定項目）の設定がなされたことを示す報知文６０３が含まれている。携帯端末装置３０の操作者は、報知文６０３を参照することにより、自身の設定が受け付けられたことを把握できる。操作者は、報知文６０３を参照した後、ボタン６０２を操作して、遠隔制御の動作を終了させる。これにより、遠隔制御の設定操作が終了する。
【００７７】
＜実施形態１の効果＞
本実施形態１によれば、以下の効果が奏され得る。
【００７８】
図４（ａ）を参照して説明したように、浴室内に人が検知されている場合は、浴室内に人が検知されていない場合よりも、遠隔制御が可能な設定項目が制限される。ここで、遠隔制御が制限される設定項目は、設定が変更されると浴室に居る使用者に不都合または違和感を与える設定項目とされる。これにより、浴室において使用者が給湯装置１０を使用している状態あるいは使用しようとしている状態において、遠隔操作により、不意に、設定が変更されて、当該使用者に顕著な違和感や不都合を与えることが防がれる。よって、浴室に居る使用者に不都合を与えることなく、適正に、給湯装置１０を遠隔制御することができる。
【００７９】
図４（ａ）のステップＳ１３において参照される排除項目、すなわち、遠隔制御が制限される設定項目は、給湯装置１０の運転切替を含んでいる。これにより、浴室において使用者が給湯装置１０を使用している状態あるいは使用しようとしている状態において、遠隔操作により、不意に、給湯装置１０の運転が停止されて、カランやシャワーから水が放出されることが防がれる。よって、浴室に居る使用者に顕著な不都合を与えることなく、適正に、給湯装置１０を遠隔制御することができる。
【００８０】
また、図４（ａ）のステップＳ１３において参照される排除項目、すなわち、遠隔制御が制限される設定項目は、給湯温度の設定を含んでいる。これにより、浴室において使用者が給湯装置１０を使用している状態あるいは使用しようとしている状態において、遠隔操作により、不意に、カランやシャワーから放出される湯の温度が変更されることが防がれる。よって、浴室に居る使用者に不都合を与えることなく、適正に、給湯装置１０を遠隔制御することができる。
【００８１】
さらに、図４（ａ）のステップＳ１３において参照される排除項目、すなわち、遠隔制御が制限される設定項目は、風呂温度の設定を含んでいる。これにより、たとえば、浴室において使用者が湯船に浸かっている際に、遠隔操作により、不意に、風呂温度が変更されることが防がれる。よって、浴室に居る使用者に不都合や違和感を与えることなく、適正に、給湯装置１０を遠隔制御することができる。
【００８２】
また、図４（ｂ）に示したように、遠隔操作の設定が人の検知結果に基づく処理により制限された場合、浴室内に人が居ることにより当該設定が制限されたこと示す報知情報（報知画面６００）が携帯端末装置３０において出力される。これにより、携帯端末装置３０の操作者は、自身が入力した設定が、浴室内に人が居ることにより制限されたことを把握することができる。これにより、携帯端末装置３０の操作者は、違和感や不信感を抱くことなく、円滑に、自身の設定を取りやめることができる。
【００８３】
なお、この報知情報は、画面でなく、あるいは、画面とともに、音声によって出力されてもよい。
【００８４】
＜実施形態２＞
上記実施形態１では、携帯端末装置３０の操作者が遠隔操作により設定した設定項目が排除項目に該当するか否かが、台所リモコン１３の制御部１３３において判定されたが、この判定が、サーバ５０において行われてもよい。この場合、サーバ５０は、水位センサ１１４および入室センサ１２６の出力に基づく人の検知結果を、随時、台所リモコン１３から取得する。この検知結果は、たとえば、台所リモコン１３からサーバ５０に定期的に送信される状態情報に含まれて送信されてもよい。
【００８５】
図５（ａ）は、風呂入室有無の検知結果を含む状態情報を給湯装置１０（台所リモコン１３）からサーバ５０に送信するための処理を示すフローチャートである。
【００８６】
台所リモコン１３の制御部１３３は、所定時間Ｔが経過するごとに（Ｓ２１：ＹＥＳ）、現在の給湯装置１０の設定状態を示す状態情報を、自身のＩＤ情報とともに、ルータ２０を介してサーバ５０に送信する（Ｓ２２）。状態情報には、水位センサ１１４および入室センサ１２６の出力に基づく人の検知結果が含まれる。こうして、一定周期ごとに、現在の給湯装置１０の設定状態と、台所リモコン１３のＩＤ情報が、台所リモコン１３からサーバ５０に送信される。
【００８７】
サーバ５０の制御部５０１は、台所リモコン１３から状態情報を受信すると、記憶部５０２に記憶されている当該給湯装置１０の状態情報を、受信した状態情報に更新する。これに伴い、水位センサ１１４および入室センサ１２６の出力に基づく人の検知結果が更新される。こうして、サーバ５０において、給湯装置１０の状態情報が、所定時間Ｔごとに逐次更新される。所定時間Ｔは、たとえば、数１０秒または数分程度に設定され得る。
【００８８】
図５（ｂ）は、携帯端末装置３０から設定コマンドを受信した場合にサーバ５０において実行される処理を示すフローチャートである。
【００８９】
遠隔制御のための入力が携帯端末装置３０により受け付けられると、受け付けられた入力に応じた設定コマンドが、携帯端末装置３０からサーバ５０に送信される。サーバ５０の制御部５０１は、携帯端末装置３０から設定コマンドを受信すると（Ｓ３１：ＹＥＳ）、記憶部５０２に記憶されている状態情報を参照し、状態情報に含まれている人の検知結果に基づいて、浴室に人が居るか否かを判定する（Ｓ３２）。
【００９０】
浴室に人が居ると判定した場合（Ｓ３２：ＹＥＳ）、制御部５０１は、設定コマンドにより特定される設定項目が、予め決められた排除項目に該当するか否かを判定する（Ｓ３３）。ここで、排除項目は、図４（ａ）のステップＳ１３における排除項目と同様に設定される。
【００９１】
設定コマンドにより特定される設定項目が排除項目に該当する場合（Ｓ３３：ＹＥＳ）、制御部５０１は、当該設定項目に応じた設定情報を台所リモコン１３に送信することなく、設定を拒否する通知（設定拒否通知）を携帯端末装置３０に送信する（Ｓ３４）。これにより、制御部５０１は、処理を終了する。
【００９２】
他方、浴室に人が居ないと判定した場合（Ｓ３２：ＮＯ）、あるいは、設定情報により特定される設定項目が排除項目に該当しない場合（Ｓ３２：ＹＥＳ、Ｓ３３：ＮＯ）、制御部５０１は、当該設定項目に応じた設定情報を台所リモコン１３に送信する（Ｓ３５）。これにより、給湯装置１０に当該設定情報に応じた設定がなされる。そして、制御部５０１は、設定が適用されたことを示す通知（設定応答通知）を携帯端末装置３０に送信する（Ｓ３６）。これにより、制御部５０１は、処理を終了する。
【００９３】
なお、ステップＳ３４で送信された設定拒否通知またはステップＳ３６で送信された設定応答通知が携帯端末装置３０によって受信されると、上記実施形態１と同様、図４（ｂ）または図４（ｃ）に示す報知画面６００が、携帯端末装置３０の表示部３０１に表示される。これにより、操作者は、自身が行った設定が適用されたか否かを把握できる。
【００９４】
本実施形態２においても、上記実施形態１と同様の効果が奏され得る。
【００９５】
＜実施形態３＞
上記実施形態２では、携帯端末装置３０の操作者が遠隔操作により設定した設定項目が排除項目に該当するか否かが、サーバ５０の制御部５０１において判定されたが、この判定が、携帯端末装置３０において行われてもよい。この場合、携帯端末装置３０は、水位センサ１１４および入室センサ１２６の出力に基づく人の検知結果を、随時、取得する。たとえば、図５（ａ）の処理により検知結果を含む状態情報が台所リモコン１３からサーバ５０に送信される場合、この状態情報が、適時、サーバ５０から携帯端末装置３０に送信されてもよい。
【００９６】
図６（ａ）は、風呂入室有無の検知結果を含む状態情報を携帯端末装置３０がサーバ５０から取得する処理を示すフローチャートである。
【００９７】
携帯端末装置３０の制御部３０３は、所定のタイミングで、サーバ５０から状態情報を取得する処理を実行する（Ｓ４１）。たとえば、携帯端末装置３０にダウンロードされた給湯システム１のアプリケーションプログラムがバックグラウンドで起動している場合、制御部３０３は、所定時間ごとにサーバ５０にアクセスして、最新の状態情報を取得する。あるいは、遠隔制御の開始操作を操作者から受け付けたことに応じて、制御部３０３が、サーバ５０にアクセスして、最新の状態情報を取得してもよい。
【００９８】
携帯端末装置３０の制御部３０３は、サーバ５０から状態情報を受信すると（Ｓ４２：ＹＥＳ）、記憶部５０２に記憶されている当該給湯装置１０の状態情報を、受信した状態情報に更新する（Ｓ４３）。これに伴い、水位センサ１１４および入室センサ１２６の出力に基づく人の検知結果が更新される。
【００９９】
図６（ｂ）は、遠隔制御の設定入力を受け付けた場合に携帯端末装置３０において実行される処理を示すフローチャートである。
【０１００】
携帯端末装置３０の制御部３０３は、遠隔制御のための入力を受け付けると（Ｓ５１：ＹＥＳ）、記憶部３０４に記憶されている状態情報を参照し、状態情報に含まれている人の検知結果に基づいて、浴室に人が居るか否かを判定する（Ｓ５２）。
【０１０１】
浴室に人が居ると判定した場合（Ｓ５２：ＹＥＳ）、制御部３０３は、設定入力により特定される設定項目が、予め決められた排除項目に該当するか否かを判定する（Ｓ５３）。ここで、排除項目は、図４（ａ）のステップＳ１３における排除項目と同様に設定される。
【０１０２】
設定入力により特定される設定項目が排除項目に該当する場合（Ｓ５３：ＹＥＳ）、制御部３０３は、当該設定項目に応じた設定コマンドをサーバ５０に送信することなく、設定入力の受付を拒否する報知画面を、表示部３０１に表示させる（Ｓ５４）。これにより、制御部３０３は、処理を終了する。
【０１０３】
他方、浴室に人が居ないと判定した場合（Ｓ５２：ＮＯ）、あるいは、設定入力により特定される設定項目が排除項目に該当しない場合（Ｓ５２：ＹＥＳ、Ｓ５３：ＮＯ）、制御部３０３は、当該設定入力に応じた設定コマンドをサーバ５０に送信する（Ｓ５５）。これ応じて、サーバ５０から台所リモコン１３に設定情報が送信され、給湯装置１０に当該設定入力に応じた設定がなされる。そして、制御部３０３は、設定入力に基づく設定が給湯装置１０に適用されたことを示す報知画面を表示部３０１に表示させる（Ｓ５６）。これにより、制御部３０３は、処理を終了する。
【０１０４】
図７（ａ）は、携帯端末装置３０において表示される遠隔制御の受付画面７００を示す図である。図７（ｂ）は、受付画面７００において、設定項目として給湯運転が選択された場合に、携帯端末装置３０において表示される報知画面７１０を示す図である。
【０１０５】
図７（ａ）に示すように、受付画面７００には、設定候補とされる選択項目７０１が含まれる。選択項目７０１として、給湯装置１０の運転ＯＮ／ＯＦＦを切り替えるための選択項目７０１ａと、給湯温度を変更するための選択項目７０１ｂと、風呂温度を変更するための選択項目７０１ｃとが含まれている。操作者は、所望の選択項目７０１にタッチすることにより、当該選択項目に応じた設定を進めることができる。
【０１０６】
たとえば、給湯装置１０の運転ＯＮ／ＯＦＦを切り替えるための選択項目７０１ａが選択された場合、この選択項目に対応する設定（運転ＯＮ／ＯＦＦ）は図６（ｂ）のステップＳ５３における排除項目に該当する。この場合、浴室に人がいることが検知されていると、図７（ｂ）に示す報知画面７１０が、受付画面７００に重ねて表示される。
【０１０７】
報知画面７１０には、人が浴室に入室中のため給湯運転の切替（選択項目の設定）ができないことを示す報知文７１１が含まれている。携帯端末装置３０の操作者は、報知文７１１を参照することにより、違和感や不信感を抱くことなく、円滑に、自身の設定を取りやめることができる。操作者は、報知文７１１を参照した後、ボタン７１２を操作して、遠隔制御の動作を終了させる。これにより、遠隔制御の設定操作が終了する。
【０１０８】
なお、浴室に人が居ない場合は、報知文７１１に代えて、設定が受け付けられたことを示す報知文が表示される。これにより、操作者は、自身が入力した設定が給湯装置１０に適用されたことを把握できる。
【０１０９】
本実施形態３においても、上記実施形態１、２と同様の効果が奏され得る。
【０１１０】
＜変更例＞
上記実施形態１〜３では、給湯装置１０を構成する台所リモコン１３に無線通信部１３６が設けられたが、無線通信部が給湯器１１に設けられて給湯器１１がルータ２０に接続されてもよい。この場合、上記実施形態における台所リモコン１３の制御は、給湯器１１の制御部１１１により行われる。あるいは、給湯器１１、浴室リモコン１２および台所リモコン１３以外に無線通信部を備えた制御ユニットが給湯装置１０に配置され、この制御ユニットがルータ２０に接続されてもよい。この場合、上記実施形態における台所リモコン１３による制御は、制御ユニットによって行われる。
【０１１１】
なお、給湯装置１０を遠隔制御する端末装置に、携帯性がなく所定の場所に設置される据え置き型の端末装置が含まれてもよい。
【０１１２】
この他、本発明の実施形態は、特許請求の範囲に記載の範囲で適宜種々の変更可能である。
【符号の説明】
【０１１３】
１  給湯システム
１０  給湯装置
１１  給湯器
１３  台所リモコン
３０  携帯端末装置
４０  外部通信網
５０  サーバ
１１４  水位センサ（センサ）
１２６  入室センサ（センサ）
１３３、３０３、５０１  制御部
【図１】
2020067244.tif 000003
【図２】
2020067244.tif 000004
【図３】
2020067244.tif 000005
【図４】
2020067244.tif 000006
【図５】
2020067244.tif 000007
【図６】
2020067244.tif 000008
【図７】
2020067244.tif 000009